(57)【要約】  シーブ軸に付着したグリスを容易に除去することができるエレベーターのシーブ軸部グリス清掃治具を提供する。この発明に係るエレベーターのシーブ軸部グリス清掃治具（１１）は、ロッド部（１２）と、ロッド部（１２）に設けられた操作部（１３）と、ロッド部（１２）の端部に連結され、互いに接触せずに対向し、操作部（１３）に対する操作に応じて互いに離反または接近する一対の開閉部材（１５）と、弾性を有し、一対の開閉部材（１５）の先端から内向きに突出して設けられた一対の扁平部材（１６）と、を備える。
2019186826.tif 000002
【特許請求の範囲】
【請求項１】
ロッド部と、
前記ロッド部に設けられた操作部と、
前記ロッド部の端部に連結され、互いに接触せずに対向し、前記操作部に対する操作に応じて互いに離反または接近する一対の開閉部材と、
弾性を有し、前記一対の開閉部材の先端から内向きに突出して設けられた一対の扁平部材と、
を備えたエレベーターのシーブ軸部グリス清掃治具。
【請求項２】
前記一対の扁平部材は、前記一対の開閉部材が重なる方向から見た横幅がシーブ軸の露出した部分の長さに対応する大きさに形成された請求項１に記載のエレベーターのシーブ軸部グリス清掃治具。
【請求項３】
前記一対の扁平部材は、
前記一対の開閉部材の先端から上方に傾斜して突出した一対の上側扁平部材と、
前記一対の開閉部材の先端から真横に突出した一対の中央扁平部材と、
前記一対の開閉部材の先端から下方に傾斜して突出した一対の下側扁平部材と、
を備えた請求項１または請求項２に記載のエレベーターのシーブ軸部グリス清掃治具。
【請求項４】
前記一対の開閉部材と前記ロッド部との連結部に設けられ、光を照射する照射部、
を更に備えた請求項１から請求項３のいずれか１項に記載のエレベーターのシーブ軸部グリス清掃治具。
【請求項５】
前記ロッド部の長手方向において前記一対の開閉部材と前記操作部との間に設けられたグリス受け部、
を更に備えた請求項１から請求項４のいずれか１項に記載のエレベーターのシーブ軸部グリス清掃治具。
【発明の詳細な説明】
【技術分野】
【０００１】
この発明は、エレベーターのシーブ軸部グリス清掃治具に関する。
【背景技術】
【０００２】
ロープ式エレベーターは、ロープが巻き掛けられるシーブを昇降路内に備える。ロープ式エレベーターとして、例えば、下記特許文献１に記載されたものがある。
【先行技術文献】
【特許文献】
【０００３】
【特許文献１】国際公開第２００３／０３１３１０号公報
【発明の概要】
【発明が解決しようとする課題】
【０００４】
エレベーターのシーブにグリスを給脂すると、シーブ軸の露出部分にグリスが溢れてくる。シーブ軸に付着したグリスの清掃には手間を要する。特に、機械室なしタイプのエレベーターの場合、シーブとシーブカバーとの間隔が狭いため、シーブ軸の露出部分に付着したグリスを除去するのは容易でない。【０００５】
この発明は、上記の課題を解決するためになされた。その目的は、シーブ軸に付着したグリスを容易に除去することができるエレベーターのシーブ軸部グリス清掃治具を提供することである。
【課題を解決するための手段】
【０００６】
この発明に係るエレベーターのシーブ軸部グリス清掃治具は、ロッド部と、ロッド部に設けられた操作部と、ロッド部の端部に連結され、互いに接触せずに対向し、操作部に対する操作に応じて互いに離反または接近する一対の開閉部材と、弾性を有し、一対の開閉部材の先端から内向きに突出して設けられた一対の扁平部材と、を備える。
【発明の効果】
【０００７】
この発明によれば、一対の扁平部材は、弾性を有し、一対の開閉部材の先端から内向きに突出して設けられている。このため、シーブ軸に付着したグリスを容易に除去することができる。
【図面の簡単な説明】
【０００８】
【図１】エレベーターの構造の一例を示す模式図である。
【図２】返し車の正面図である。
【図３】返し車の側面図である。
【図４】実施の形態１におけるシーブ軸部グリス清掃治具の正面図である。
【図５】実施の形態１におけるシーブ軸部グリス清掃治具の側面図である。
【図６】実施の形態１におけるシーブ軸部グリス清掃治具の使い方を示す第１の図である。
【図７】実施の形態１におけるシーブ軸部グリス清掃治具の使い方を示す第２の図である。
【図８】実施の形態１におけるシーブ軸部グリス清掃治具の使い方を示す第３の図である。
【図９】実施の形態１におけるシーブ軸部グリス清掃治具の使い方を示す第４の図である。
【発明を実施するための形態】
【０００９】
以下、添付の図面を参照して実施の形態について説明する。各図において、同一または相当する部分には同一の符号が付される。重複する説明は、適宜簡略化あるいは省略する。
【００１０】
実施の形態１．
図１は、エレベーターの構造の一例を示す模式図である。図１は、機械室なしタイプのロープ式エレベーターの昇降路内における構造を例示している。
【００１１】
図１に示すように、エレベーター１は、巻上機２、ロープ３、かご４および釣合おもり５を備える。エレベーター１は、昇降路内に設けられた複数のシーブを備える。昇降路内のシーブとしては、例えば、かご吊り車６、おもり吊り車７および返し車８が設けられる。かご吊り車６は、例えば、かご４の下に複数設けられる。返し車８は、例えば、昇降路の上部に複数設けられる。一部の返し車８は、他の返し車８と大きさが異なり得る。
【００１２】
ロープ３は、例えば、巻上機２、かご吊り車６、おもり吊り車７および返し車８に巻き掛けられる。ロープ３の端部は、例えば、昇降路内の図示しない梁などに支持される。かご４は、かご吊り車６を介して、ロープ３によって昇降路内に吊り下げられる。釣合おもり５は、おもり吊り車７を介して、ロープ３によって昇降路内に吊り下げられる。かご４および釣合おもり５は、巻上機２が駆動することにより昇降する。巻上機２は、図示しない制御装置によって制御される。
【００１３】
図２は、返し車の正面図である。図３は、返し車の側面図である。図２および図３は、シーブの構造の一例を模式的に示す図である。
【００１４】
ロープ３は、返し車８の上側に巻き掛けられる。ロープ３は、例えば、複数設けられる。各ロープ３は、返し車８の各ロープ溝に沿って巻き掛けられる。返し車８の周囲には、シーブカバー９が設けられる。シーブカバー９は、例えば、昇降路内の図示しない梁などに支持される。シーブカバー９は、例えば、返し車８の正面、上面および背面を覆う。シーブカバー９は、例えば、返し車８の下面および側面を覆わない。返し車８のシーブ軸１０は、例えば、シーブカバー９の正面側部分と背面側部分とを繋ぐように固定される。
【００１５】
図３に示すように、シーブ軸１０のうち返し車８とシーブカバー９との間に位置する部分は、露出している。シーブ軸１０の露出部分の長さは、返し車８の正面または背面とシーブカバー９との水平方向における間隔に相当する。当該間隔は、例えば、１０ｍｍから１５ｍｍ程度である。このようなシーブ軸１０の露出部分にグリスが溢れてきた場合、付着したグリスを清掃する必要がある。
【００１６】
図４は、実施の形態１におけるシーブ軸部グリス清掃治具の正面図である。図５は、実施の形態１におけるシーブ軸部グリス清掃治具の側面図である。
【００１７】
シーブ軸部グリス清掃治具１１は、例えば、ロッド部１２、操作部１３、連結部１４、一対の開閉部材１５、一対の扁平部材１６、照射部１７およびグリス受け部１８を備える。
【００１８】
ロッド部１２は、例えば、棒状または筒状に形成されている。ロッド部１２の太さは、例えば、返し車８とシーブカバー９との水平方向における間隔よりも小さい。ロッド部１２の長さは、例えば、シーブカバー９の高さの半分よりも大きい。ロッド部１２の長さは、例えば、返し車８の半径よりも大きい。ロッド部１２は、例えば、伸縮可能に形成されてもよい。
【００１９】
操作部１３は、ロッド部１２に設けられる。操作部１３は、例えば、ロッド部１２の長手方向における中心よりも下側に配置される。操作部１３は、例えば、片手で操作可能なボタンまたはレバー等である。
【００２０】
連結部１４は、ロッド部１２の上端部に設けられる。一対の開閉部材１５は、連結部１４を介してロッド部１２の上端部に連結される。
【００２１】
開閉部材１５は、例えば、鉄などの材質で形成される。開閉部材１５は、例えば、正面から見て円弧状に形成される。開閉部材１５の下側の先端は、連結部１４の内部に位置する。一対の開閉部材１５は、例えば、ロッド部１２の軸を中心として左右対称に配置される。左側の開閉部材１５は、上側の先端が右を向くように配置される。右側の開閉部材１５は、上側の先端が左を向くように配置される。一対の開閉部材１５の上側の先端同士は、左右方向において対向する。
【００２２】
一対の開閉部材１５は、操作部１３に対する操作に応じて、互いに離反または接近する開閉動作を行う。一対の開閉部材１５の開閉機構は、例えば、連結部１４およびロッド部１２の内部に設けられる。
【００２３】
一対の開閉部材１５は、例えば、操作部１３に対する操作が行われることで開いた状態となる。一対の開閉部材１５は、例えば、操作部１３に対する操作が行われなければ閉じた状態を維持する。この場合、開閉機構は、一対の開閉部材１５に対して互いに接近する方向の力を掛けるように構成されている。
【００２４】
図４は、一対の開閉部材１５が閉じた状態を示している。一対の開閉部材１５が閉じた状態において取り囲む範囲は、シーブ軸１０の断面よりも大きい。
【００２５】
図４に示す状態において、一対の開閉部材１５の上側の先端同士は、接触しない。つまり、一対の開閉部材１５は、最も接近した状態であっても互いに接触せずに、左右方向において対向する。
【００２６】
扁平部材１６は、例えば、板状またはヘラ状に形成される。一対の扁平部材１６は、正面から見て、開閉部材１５の上側の先端からロッド部１２の軸に近づく向きに突出して設けられる。左側の開閉部材１５に設けられる扁平部材１６は、右向きに突出する。右側の開閉部材１５に設けられる扁平部材１６は、左向きに突出する。一対の扁平部材１６の先端同士は、例えば、左右方向において対向または接触する。
【００２７】
扁平部材１６は、例えば、硬質ゴム等の弾性を有する材質で形成される。扁平部材１６は、上下方向の力を受けると、その力に反発しつつ撓るように形成される。
【００２８】
扁平部材１６は、例えば、上側扁平部材１６ａ、中央扁平部材１６ｂおよび下側扁平部材１６ｃを備える。上側扁平部材１６ａは、開閉部材１５の上側の先端から上方に傾斜して突出する。中央扁平部材１６ｂは、開閉部材１５の上側の先端から真横に突出する。下側扁平部材１６ｃは、開閉部材１５の上側の先端から下方に傾斜して突出する。この場合、一対の扁平部材１６は、一対の上側扁平部材１６ａと、一対の中央扁平部材１６ｂと、一対の下側扁平部材１６ｃと、を備える。
【００２９】
図５の視点から見た連結部１４、開閉部材１５および扁平部材１６の横幅は、例えば、返し車８とシーブカバー９との水平方向における間隔に対応する大きさに形成される。
【００３０】
照射部１７は、例えば、連結部１４に設けられる。照射部１７は、少なくとも上向きに可視光を照射する。照射部１７は、例えば、ロッド部１２の軸に沿って、一対の扁平部材１６がある向きを照らすように可視光を照射する。照射部１７としては、例えば、電球またはＬＥＤライト等が用いられる。照射部１７は、例えば、ロッド部１２または連結部１４等に設けられた図示しない電池から電力供給を受ける。照射部１７は、例えば、図示しないスイッチに対する操作に応じて、照射を開始または停止する。
【００３１】
グリス受け部１８は、例えば、ロッド部１２の長手方向において一対の開閉部材１５と操作部１３との間に設けられる。グリス受け部１８は、例えば、ロッド部１２の軸を中心に広がる傘状または袋状に形成される。
【００３２】
エレベーター１の保守員は、シーブ軸部グリス清掃治具１１を使って、シーブ軸１０の露出部分に付着したグリスを清掃する。以下、図３および図６から図９を参照して、シーブ軸部グリス清掃治具１１を使ったグリス清掃作業を説明する。
【００３３】
図６は、実施の形態１におけるシーブ軸部グリス清掃治具の使い方を示す第１の図である。図７は、実施の形態１におけるシーブ軸部グリス清掃治具の使い方を示す第２の図である。図８は、実施の形態１におけるシーブ軸部グリス清掃治具の使い方を示す第３の図である。図９は、実施の形態１におけるシーブ軸部グリス清掃治具の使い方を示す第４の図である。
【００３４】
図６から図９には、シーブ軸１０の断面が図示されている。図６から図８には、シーブ軸１０に付着したグリス１９が図示されている。
【００３５】
シーブ軸部グリス清掃治具１１は、例えば、ロッド部１２の下端部付近を手で把持して使用される。シーブ軸部グリス清掃治具１１は、例えば、図３に示す返し車８とシーブカバー９との隙間に下から差し込まれる。保守員は、照射部１７で上方を照らしながら、一対の開閉部材１５を開いた状態でシーブ軸部グリス清掃治具１１を上に移動させる。保守員は、一対の開閉部材１５の内側にシーブ軸１０が入った状態で、一対の開閉部材１５を閉じる。このとき、シーブ軸１０とシーブ軸部グリス清掃治具１１との位置関係は、図６に示すようになる。
【００３６】
保守員は、図６の状態から一対の開閉部材１５を閉じたままシーブ軸部グリス清掃治具１１を下向きに引っ張る。シーブ軸部グリス清掃治具１１が下降していくと、シーブ軸１０の上部に付着していたグリス１９が、一対の下側扁平部材１６ｃで削り取られるようにして除去される。このとき、シーブ軸１０とシーブ軸部グリス清掃治具１１との位置関係は、図７に示すようになる。
【００３７】
図７の状態から更にシーブ軸部グリス清掃治具１１が下降していくと、シーブ軸１０の上下方向における中間部に付着していたグリス１９が、一対の中央扁平部材１６ｂで削り取られるようにして除去される。このとき、シーブ軸１０とシーブ軸部グリス清掃治具１１との位置関係は、図８に示すようになる。
【００３８】
図８の状態から更にシーブ軸部グリス清掃治具１１が下降していくと、シーブ軸１０の下部に付着していたグリス１９が、一対の上側扁平部材１６ａで削り取られるようにして除去される。そして、一対の開閉部材１５の内側からシーブ軸１０が抜けるまでシーブ軸部グリス清掃治具１１が下降すると、シーブ軸１０の全周からグリス１９が除去される。このとき、シーブ軸１０とシーブ軸部グリス清掃治具１１との位置関係は、図９に示すようになる。
【００３９】
シーブ軸１０から除去されたグリス１９は、扁平部材１６に付着するか、或いは、落下してグリス受け部１８で受け止められる。
【００４０】
実施の形態１によれば、エレベーターのシーブ軸部グリス清掃治具１１は、一対の開閉部材１５および一対の扁平部材１６を備える。一対の開閉部材１５は、ロッド部１２の端部に連結され、互いに接触せずに対向し、操作部１３に対する操作に応じて互いに離反または接近する。一対の扁平部材１６は、弾性を有し、一対の開閉部材１５の先端から内向きに突出して設けられる。このため、シーブ軸１０に付着したグリスを容易に除去することができる。その結果、グリス清掃の所要時間を短縮するとともに、グリスの取り残しを無くすことができる。
【００４１】
実施の形態１によれば、一対の扁平部材１６は、一対の開閉部材１５が重なる方向から見た横幅がシーブ軸１０の露出した部分の長さに対応する大きさに形成される。このため、シーブ軸１０の露出部分に付着しているグリスを一度に除去することができる。
【００４２】
実施の形態１によれば、一対の扁平部材１６は、一対の上側扁平部材１６ａ、一対の中央扁平部材１６ｂおよび一対の下側扁平部材１６ｃを備える。このため、シーブ軸１０の全周に付着しているグリスを一度に除去することができる。
【００４３】
実施の形態１によれば、エレベーターのシーブ軸部グリス清掃治具１１は、一対の開閉部材１５とロッド部１２との連結部１４に設けられた照射部１７を備える。このため、グリス清掃作業における視認性を向上させることができる。
【００４４】
実施の形態１によれば、エレベーターのシーブ軸部グリス清掃治具１１は、ロッド部１２の長手方向において一対の開閉部材１５と操作部１３との間に設けられたグリス受け部１８を備える。このため、落下したグリスが昇降路の床または他のエレベーター機器に付着することを防止できる。
【００４５】
実施の形態１における開閉部材１５は、例えば、円弧状に形成されなくともよい。一対の開閉部材１５が閉じた状態において取り囲む範囲がシーブ軸１０の断面よりも大きければ、開閉部材１５は、角張った形状に形成されてもよい。
【００４６】
実施の形態１におけるシーブ軸部グリス清掃治具は、例えば、返し車８以外のシーブに対して使用してもよい。シーブ軸部グリス清掃治具は、例えば、かご吊り車６に対して使用してもよい。シーブ軸部グリス清掃治具は、例えば、機械室ありタイプのエレベーターのシーブに対して使用してもよい。
【産業上の利用可能性】
【００４７】
この発明は、昇降路内にシーブを備えたロープ式エレベーターに利用できる。
【符号の説明】
【００４８】
１  エレベーター
２  巻上機
３  ロープ
４  かご
５  釣合おもり
６  かご吊り車
７  おもり吊り車
８  返し車
９  シーブカバー
１０  シーブ軸
１１  シーブ軸部グリス清掃治具
１２  ロッド部
１３  操作部
１４  連結部
１５  開閉部材
１６  扁平部材
１６ａ  上側扁平部材
１６ｂ  中央扁平部材
１６ｃ  下側扁平部材
１７  照射部
１８  グリス受け部
１９  グリス
【図１】
2019186826.tif 000003
【図２】
2019186826.tif 000004
【図３】
2019186826.tif 000005
【図４】
2019186826.tif 000006
【図５】
2019186826.tif 000007
【図６】
2019186826.tif 000008
【図７】
2019186826.tif 000009
【図８】
2019186826.tif 000010
【図９】
2019186826.tif 000011
【国際調査報告】
2019186826.tif 000012
2019186826.tif 000013